(57)【特許請求の範囲】
【請求項１】
ロッドアンテナを介して電波信号を送受信することで無線通信を行うように構成される無線通信装置において、
前記ロッドアンテナは、軸方向を中心として回転操作可能に構成されており、  前記ロッドアンテナの回転量を検知する回転検知手段と、
無線通信を行うための操作モードに応じた画面が表示される表示手段と、
前記回転検知手段により検出される前記回転量に応じて前記操作モードに関する処理を実行すると共に、その処理の実行に伴って前記表示手段に表示されている画面の状態を変化させるように制御する制御手段とを備え、
前記回転検知手段は、ロッドアンテナの回転変位に連動可能に構成されると共に、前記ロッドアンテナとは独立に構成されて筐体の上端側に配置されるアンテナ側構成部を備えており、
前記ロッドアンテナは、筐体方向に押し込み操作可能に構成され、
前記ロッドアンテナが押し込み操作された場合に前記ロッドアンテナと前記アンテナ側構成部とを係合させて、前記ロッドアンテナの回転変位に前記アンテナ側構成部を連動させるように構成される係合手段を備え、
前記ロッドアンテナは、前記係合手段によって前記アンテナ側構成部に係合された場合は、給電端子と非接触状態になるように構成されていることを特徴とする無線通信装置。
【請求項２】
前記制御手段は、前記回転検知手段により検出される前記回転量に応じて、前記表示手段に表示されている操作モードに関する選択項目の表示をスクロールさせることを特徴とする請求項１記載の無線通信装置。
【請求項３】
前記ロッドアンテナの回転方向を検知する回転方向検出手段を備え、
前記制御手段は、回転方向検出手段により検出される前記回転方向にも応じて、画面の状態を変化させることを特徴とする請求項１または２記載の無線通信装置。
【請求項４】
前記回転検知手段は、前記回転方向検出手段と一体に構成されていることを特徴とする請求項３記載の無線通信装置。
【請求項５】
前記ロッドアンテナは、筐体方向に押し込み操作可能に構成され、
前記筐体の内部に、前記ロッドアンテナが押し込み操作された場合にオン操作されるスイッチを備え、
前記制御手段は、前記スイッチがオン操作された場合には、操作モードを切換えるように制御することを特徴とする請求項１乃至４の何れかに記載の無線通信装置。
【請求項６】
前記制御手段は、前記スイッチのオン操作回数に応じて操作モードを切換えるように制御することを特徴とする請求項５記載の無線通信装置。
【請求項７】
前記制御手段は、操作モード中に前記スイッチがオン操作された場合には、その時点で表示手段に表示されている画面の状態に対応する特定の処理を実行するように制御することを特徴とする請求項５または６記載の無線通信装置。
【請求項８】
前記制御手段は、操作モードに応じて前記スイッチがオン操作された場合に行われる特定の処理の内容を前記表示手段に表示させるように制御することを特徴とする請求項７記載の無線通信装置。
【請求項９】
筐体の表面に配置される複数の操作キーを備え、
前記制御手段は、前記複数の操作キーの内特定の操作キーがオン操作されると共に前記ロッドアンテナが回転操作された場合には、異なる態様で画面の状態を変化させるように制御することを特徴とする請求項１乃至８の何れかに記載の無線通信装置。
【発明の詳細な説明】
【０００１】
【発明の属する技術分野】
本発明は、ロッドアンテナを介して電波信号を送受信することで無線通信を行うように構成される例えば携帯電話装置などの無線通信装置に関する。
【０００２】
【従来の技術】
携帯電話装置１は、例えば図２５に示すように、筐体２の前面側にスピーカよりなる受話部３，ＬＣＤ４，各種の操作キー５，マイクよりなる送話部６を備えている。また、筐体２の上端右側には、電波信号を送受信するためのロッドアンテナ７を備えている。
【０００３】
このような携帯電話装置１は、近年、メモリの大容量化や多機能化が進む傾向にある。そのような傾向に対応するため、操作キー５に、例えば、ＵＰキー８及びＤＯＷＮキー９のようなスクロールキーを備えるものが多くなっている。そして、例えば、ユーザが携帯電話装置のメモリに登録した多数の電話番号の中から通話相手の電話番号を選択する場合には、ＬＣＤ４の画面上に通話相手の氏名または名称と電話番号とを表示させ、ユーザがＵＰキー８をオン操作すると登録順に表示を順次スクロールさせるように画面の状態を変化させる。
【０００４】
そして、所望の通話相手の電話番号が表示された場合に例えば操作キー５の発信キーをオン操作すると、前記電話番号がダイアルされて発呼するように構成されてる。また、ＤＯＷＮキー９がオン操作された場合には、ＬＣＤ４の画面表示を逆順にスクロールさせるようになっている。
【０００５】
【発明が解決しようとする課題】
しかしながら、これらのＵＰキー８及びＤＯＷＮキー９は連続的に操作されることが多いため、ユーザが操作し易いように他の操作キー５に比較してより大きいサイズにすることが一般に行われている。従って、ＵＰキー８及びＤＯＷＮキー９の配置スペースを確保する必要から、携帯電話装置全体の小形化や軽量化を図る場合に一定の限界があるという問題があった。
【０００６】
また、このようなＵＰキー８及びＤＯＷＮキー９を操作する場合に、誤操作が比較的多く発生するという問題も生じている。これは、ＵＰキー８及びＤＯＷＮキー９のサイズが他の操作キー５とは多少異なっているとしても、ユーザの指による触覚のレベルにおいては差異が小さいため、暗い場所で操作しようとする場合には、他の操作キー５と間違えて操作する場合が多いためと考えられる。
【０００７】
本発明は上記事情に鑑みてなされたものであり、その目的は、小形化や軽量化をより一層進めることが可能な無線通信装置を提供することにある。
【０００８】
【課題を解決するための手段】
請求項１または２記載の無線通信装置によれば、回転検知手段が、回転操作可能に構成されたロッドアンテナの回転量を検出すると、制御手段は、検出された回転量に応じて操作モードに関する処理を実行すると共に、その処理の実行に伴って表示手段に表示されている画面の状態を変化させる。また、ロッドアンテナをユーザが筐体側に押し込み操作すると、係合手段は、ロッドアンテナと回転検知手段のアンテナ側構成部とを係合させる。そして、ユーザがロッドアンテナを回転操作した場合の回転変位にアンテナ側構成部を連動させると共に、ロッドアンテナは、係合手段によってアンテナ側構成部に係合された場合は給電端子と非接触状態になる（請求項１）。また、制御手段は、具体的には、例えば、操作モードに応じた選択項目の表示をスクロールさせる（請求項２）。
【０００９】
即ち、ユーザは、その形状により他の操作キーと容易に区別が付くロッドアンテナを回転操作することで、例えば、選択項目の表示をスクロールさせる（請求項２）などのように、表示手段に表示されている画面の状態を変化させることができる。従って、従来必要としていたＵＰキー，ＤＯＷＮキー等が不要となり、操作キーの配置スペースを削減することができるので、全体を小形且つ軽量に構成することができる。また、ユーザは、ロッドアンテナを押し込み操作した場合にのみ当該ロッドアンテナを回転操作して、制御手段に操作モードに関する処理を実行させることが可能となるので、誤操作を防止することができる。更に、ユーザがロッドアンテナを回転操作する時には、ロッドアンテナと給電端子との間に摩擦が生じることがない。従って、ロッドアンテナの回転操作によってロッドアンテナの給電部位と給電端子とを摩耗させることを防止できる。
【００１０】
請求項３記載の無線通信装置によれば、制御手段は、回転方向検出手段により検出されるロッドアンテナの回転方向にも応じて表示手段に表示されている画面の状態を変化させる。従って、例えば、請求項２のように、画面の表示をスクロールさせる場合などには、ユーザは、ロッドアンテナを回転操作する方向を時計回り，反時計回り切換えると、スクロール表示の方向を例えば順，逆に切換えることができる。従って、ユーザは、操作をより容易に行うことができるようになる。
【００１１】
請求項４記載の無線通信装置によれば、回転検知手段を、回転方向検出手段と一体に構成するので、ユーザの操作によるロッドアンテナの回転量と回転方向とを一体の構成により検出することで配置スペースを削減できる。
【００１４】
請求項５記載の無線通信装置によれば、ユーザが、ロッドアンテナを筐体方向に押し込み操作すると筐体内部のスイッチがオン操作され、制御手段は、そのスイッチがオン操作されると操作モードを切換える。従って、ユーザは、ロッドアンテナを操作することで操作モードを切換えることも可能となり、利便性が向上する。
【００１５】
請求項６記載の無線通信装置によれば、制御手段は、スイッチのオン操作回数に応じて操作モードを切換えるので、操作モードが多様に存在する場合でもロッドアンテナの押し込み操作回数に応じて切換えを行うことができる。
【００１６】
請求項７記載の無線通信装置によれば、制御手段は、操作モード中にスイッチがオン操作されると、その時点で表示手段に表示されている画面の状態に体操する特定の処理を行う。例えば、携帯電話装置の場合には、ユーザがロッドアンテナを回転操作することでメモリに登録されている通話相手の氏名や電話番号を表示手段に順次スクロール表示させて行き、通話相手の電話番号が表示されると、その時点でロッドアンテナを押し込むように操作すればスイッチがオン操作されて、制御手段が前記電話番号をダイアルして発呼する、というような一連の処理を行うことが可能となる。従って、操作性を一層向上させることができる。
【００１７】
請求項８記載の無線通信装置によれば、制御手段は、操作モードに応じてスイッチがオン操作された場合に行われる特定の処理の内容を表示手段に表示させるので、ユーザは、ロッドアンテナを押し込み操作した場合に、各操作モードに応じて実行される特定処理を表示手段を見て知ることにより、操作を容易且つ確実に行うことができる。
【００１８】
請求項９記載の無線通信装置によれば、制御手段は、筐体の表面に配置される複数の操作キーの内、特定の操作キーがオン操作されると共にロッドアンテナが回転操作されると異なる態様で画面の状態を変化させるので、ユーザは、特定の操作キーとの組み合わせにより、例えば、スクロール表示の方向を上下から左右に変化させたり、単位回転量に応じたスクロール量を変化させるなどのように、ロッドアンテナを用いて様々な態様で画面の状態を変化させることができる。
【００２０】
【発明の実施の形態】
（第１実施例）
以下、本発明の第１実施例について図１乃至図１１を参照して説明する。尚、図２５と同一部分には同一符号を付して説明を省略し、以下異なる部分についてのみ説明する。図６は、携帯電話装置（無線通信装置）１１の正面図である。携帯電話装置１１からは、ＵＰキー８及びＤＯＷＮキー９が除かれており、その分だけ筐体１２のサイズは携帯電話装置１の筐体２よりも小形に構成されている。
【００２１】
また、図１は、筐体１２の上端側を透視して内蔵されている要部の構成を示す斜視図である。この図１において、ロッドアンテナ（以下、単にアンテナと称す）１３は、筐体１２の外部に露出している先端部分に樹脂製のキャップ１４が装着されており、ユーザがそのキャップ１４を指で摘んで軸方向を中心として回動させることで、回転操作が可能に構成されている。
【００２２】
筐体１２内部におけるアンテナ１３の途中部位に対応する位置には、回転検知部（回転検知手段，回転方向検出手段）１５が設けられており、回転検知部１５は、アンテナ１３が回転操作された場合の回転方向及び回転量を検出可能に構成されている。回転検知部１５によって出力されるアンテナ１３の回転方向及び回転量の検出信号は、マイクロコンピュータなどで構成される制御部（制御手段）１６に与えられるようになっている。
【００２３】
また、回転検知部１５の下方となるアンテナ１３の途中部位には給電部１７が配置されており、その給電部１７を介して、アンテナ１３より送受信される電波信号の伝達が図示しない送受信部との間で行われるようになっている。
【００２４】
更に、給電部１７の下方となるアンテナ１３の後端側には、プッシュスイッチ（スイッチ）１８が配置されている。プッシュスイッチ１８の操作子１８ａは、アンテナ１３の後端面に接している。アンテナ１３は、キャップ１４の先端部を押し下げることで、図１に示す位置から下方へ変位可能に構成されており、通常は、プッシュスイッチ１８内部の構成により操作子１８ａに付与されている上方への付勢力によって図１に示す位置にある。そして、プッシュスイッチ１８の付勢力に抗してキャップ１４の先端部が押し下げられると、それに伴って操作子１８ａも押し下げられて、プッシュスイッチ１８はオン操作されるようになっている。
【００２５】
プッシュスイッチ１８のオンオフ信号は、制御部１６に与えられるようになっている。そして、制御部１６は、前記オンオフ信号と、上述したアンテナ１３の回転方向及び回転量の検出信号とに応じて、ＬＣＤ（表示手段）４の画面表示を制御したり送受信制御などを行うようになっている。また、制御部１６は、アッテネータ６０に制御信号を与えることによって、通話中における受話部３の受話音量をも制御するようになっている。
【００２６】
図２は、回転検知部１５の詳細な構成を示すものである。アンテナ１３の外周部には、矩形状のアンテナ側電極１９がその長手方向が軸方向に一致するようにして配置されている。回転検知部１５は、そのアンテナ側電極１９が配置されている部位を取り囲むように配置されている。グランド電極２０は、リング状に構成されていると共に、制御部１６のグランドＧＮＤに接続されている。そして、グランド電極２０は、アンテナ１３が回転されることによってアンテナ側電極１９がどの位置にある場合でも、常にアンテナ側電極１９の下端部と交差している箇所で接触するようになっている。尚、アンテナ側電極１９は、アンテナ１３本体とは絶縁されている。
【００２７】
グランド電極２０の上方には、例えば、幅寸法がＷの矩形状のＡ相電極２１及びＢ相電極２２が、アンテナ１３の周囲を囲むように、２列をなして夫々複数配置されている。これらのＡ相電極２１及びＢ相電極２２は、夫々隣接する電極２１及び２２との間隔がＷ／２となるように配置されている。また、Ｂ相電極２２は、Ａ相電極２１に対して、図２においてＡ相電極２１の左端を基準とするとＷ／２右方向にずれた位置関係となっている。
【００２８】
Ａ相電極２１及びＢ相電極２２は、夫々共通に制御部１６のＡ相入力ポート１６Ａ及びＢ相入力ポート１６Ｂに接続されていると共に、制御用電源ＶＣＣにプルアップされている。そして、アンテナ１３が回転操作されてアンテナ側電極１９がＡ相電極２１またはＢ相電極２２の下部に位置すると、各電極２１または２２は夫々アンテナ側電極１９と接触するようになっている。
【００２９】
また、アンテナ１３は、回転操作される場合には図示しない節度機構により節度が付与されてＷ／２毎に回転するように構成されている。そして、図２に示す状態▲１▼（図４参照）は、Ａ相電極２１だけがアンテナ側電極１９及びグランド電極２０を介してグランドＧＮＤに接続されているので、Ａ相入力ポート１６Ａはロウレベル“Ｌ”，Ｂ相入力ポート１６Ｂはハイレベル“Ｈ”となっている。
【００３０】
図２の状態▲１▼から、アンテナ１３が時計回り（ＣＷ）方向に１ポジション回転操作されると図３（ａ）に示す状態▲２▼となり、Ｂ相電極２２だけがグランドＧＮＤに接続されて、Ａ相入力ポート１６Ａは“Ｈ”，Ｂ相入力ポート１６Ｂは“Ｌ”となる。更に、図３（ａ）の状態▲２▼から、アンテナ１３がＣＷ方向に１ポジション回転操作されると図３（ｂ）に示す状態▲３▼となり、Ａ相電極２１及びＢ相電極２２が何れもグランドＧＮＤに接続されて、Ａ相入力ポート１６Ａ及びＢ相入力ポート１６Ｂは何れも“Ｌ”となる。
【００３１】
即ち、アンテナ１３がＣＷ方向に回転操作されると、入力ポート１６Ａ及び１６Ｂには、状態が▲１▼→▲２▼→▲３▼→▲１▼→…と遷移するパルス信号列が入力される。また、アンテナ１３が反時計回り（ＣＣＷ）方向に回転操作されると、入力ポート１６Ａ及び１６Ｂには、状態が▲１▼→▲３▼→▲２▼→▲１▼→…と遷移するパルス信号列が入力される。
【００３２】
即ち、入力ポート１６Ａ及び１６Ｂに入力されるパルス信号列は、互いに位相が９０度異なるパルス信号列となり、回転検知部１５は、所謂周知のロータリエンコーダと同様の作用をなすものである。従って、制御部１６は、入力ポート１６Ａ及び１６Ｂに入力されるパルス信号列に基づいてアップカウント，ダウンカウント動作を行うことで、アンテナ１３の回転操作方向と回転量を判定することができる。
【００３３】
図５は、給電部１７の構成を示す断面図である。アンテナ１３下端側の途中部位１３ｃには導電性の接触部材（給電部位）２３が配置されており、その接触部材２３が、給電部１７のバネ性を有する給電端子２４と接触することで、アンテナ１３と給電点２５とが電気的に接続されるようになっている。そして、ユーザがキャップ１４を摘んで回転操作することによりアンテナ１３が回転した場合でも、接触部材２３と給電端子２４との電気的接続は維持されるようになっている。
【００３４】
次に、本実施例の作用について図７乃至図１１をも参照して説明する。図７は、制御部１６の本発明の要旨に係る部分の制御内容を示すフローチャートである。制御部１６は、先ず、操作モードが切換えられた否かを判断し（ステップＡ１）、操作モードが切換えられた場合は「ＹＥＳ」と判断して操作モードに応じたＬＣＤ４の画面を操作モードに応じた表示に切換える（ステップＡ２）。
【００３５】
ステップＡ１における操作モードの切換えは、例えば、図９や図１０に示すようにして行う。制御部１６は、ユーザによりキャップ１４（アンテナ１３）が押し込み操作されることでプッシュスイッチ１８がオン操作されると、ＬＣＤ４の表示を、デフォルトの待受け状態の画面から図９（ａ）に示すように電話番号検索（メモリー検索）モードに切換える。また、制御部１６は、プッシュスイッチ１８が２回オン操作されると、ＬＣＤ４の表示を図１０（ａ）に示すようにメニューモードに切換える。
【００３６】
電話番号検索モードは、ユーザが制御部１６内部の図示しないメモリーに登録した通話相手の名前（及び電話番号）を順次表示させて、今回の通話相手の名前を選択して発呼するようにしたモードである。図９ではＬＣＤ４の画面中央に表示されている「上杉恵介」が選択候補となっている。また、メニューモードは、「キーガード」，「メール」，「ボイスメモ」，「設定」，「着信履歴」など、特に使用頻度が高い電話番号検索モードを除く複数の操作モードが選択項目として表示されるモードである。図１０では、「ボイスメモ」が選択候補となっている。
【００３７】
ここでは、ユーザが操作モードを図９に示す電話番号検索モードとした場合について以下説明する。ＬＣＤ４に電話番号検索モードの画面が表示された状態で、ユーザがアンテナ１３を回転操作すると、制御部１６は、その回転方向（ＣＷ，ＣＣＷ）と操作量（回転量）とに応じて画面表示を順方向または逆方向にスクロールさせる（ステップＡ３〜Ａ６）。即ち、ユーザがアンテナ１３をＣＷ方向に１ポジション回転操作すると、図９においては、通話相手の選択候補が「上杉恵介」から「田中智子」へと１ステップスクロールし、アンテナ１３をＣＣＷ方向に１ポジション回転操作すると、選択候補が「上杉恵介」から「井之前正輝」へと１ステップスクロールする。
【００３８】
そして、ユーザが所望の通話相手を選択候補とした状態でアンテナ１３を押し込み操作（Ｅｎｔｅｒ）  すると、プッシュスイッチ１８がオン操作されて当該選択候補が確定し（ステップＡ７，「ＹＥＳ」）、制御部１６は、当該選択候補が確定したことによって実行される処理（特定処理）が通話開始処理（発呼）であるか否かを判断する（ステップＡ８）。判断ステップＡ８において、通話を開始する場合は「ＹＥＳ」と判断して通話中処理を行う（ステップＡ９）。また、通話を開始しない場合は「ＮＯ」と判断してその他の操作モードにおいて選択された項目に応じたその他の処理を行うようにする（ステップＡ１０）。ステップＡ９またはＡ１０の実行後は、ステップＡ１に移行する。
【００３９】
また、ここで、図９，図１０に示すように、制御部１６は、ＬＣＤ４の画面左下部に、電話番号検索モードの場合は「↓発信」，メニューモードの場合は「↓選択」のように、アンテナ１３を押し込み操作した場合に実行される処理の内容を各操作モードに対応して表示させるようになっている。
【００４０】
図８は、通話中処理の内容を示すフローチャートである。制御部１６は、ステップＡ３と同様にアンテナ１３が回転操作されたか否かを判断する（ステップＢ１）。回転操作が行われない場合は通話が終了したか否かを判断して（ステップＢ７）、通話が終了した場合はリターンし、通話が継続中である場合はステップＢ１に戻る。
【００４１】
ステップＢ１において、アンテナ１３が回転操作されると、制御部１６はその回転方向を判断し（ステップＢ２）、回転方向に応じてＬＣＤ４に受話音量のアップ表示（ステップＢ３）またはダウン表示（ステップＢ４）を行わせる。ここで、図１１は、通話中においてユーザがアンテナ１３を回転操作した場合のＬＣＤ４の表示画面を示すものである。即ち、ＬＣＤ４には、現在設定されている受話音量の大きさが棒グラフ状態で表示されており、例えば、図１１（ａ）に示す状態から、ユーザがアンテナ１３をＣＷ方向に１ポジション回転操作すると、図１１（ｂ）に示すように、受話音量が１ステップ分アップした表示がなされる。また、図示はしないが、ユーザがアンテナ１３をＣＣＷ方向に１ポジション回転操作すると、受話音量が１ステップ分ダウンした表示がなされる。
【００４２】
次に、制御部１６は、ステップＡ７と同様に確定操作があったか否かを判断して（ステップＢ５）、ユーザにより、アンテナ１３が押し込み操作されると「ＹＥＳ」と判断し、その時点でＬＣＤ４に表示されている状態に応じてアッテネータ６０に制御信号を出力して受話音量を設定すると（ステップＢ６）、ステップＢ７に移行する。また、ステップＢ５において確定操作がなく「ＮＯ」と判断した場合はステップＢ１に移行する。
【００４３】
以上のように本実施例によれば、制御部１６は、回転検知部１５を介してアンテナ１３の回転方向及び回転量を検知すると、その検出された回転方向及び回転量に応じてＬＣＤ４に表示されている操作モードに応じた選択項目の表示を順方向，逆方向にスクロールさせて、画面の状態を変化させるようにした。
【００４４】
即ち、ユーザは、他の操作キー５と容易に区別できるアンテナ１３を回転操作することで選択項目の表示をスクロールさせることができるので、従来必要としていたＵＰキー８，ＤＯＷＮキー９等のようなスクロールキーが不要となり、操作キー２の配置スペースを削減することが可能となって全体を小形且つ軽量に構成することができる。また、回転検知部１５によって、ユーザの操作によるアンテナ１３の回転量と回転方向とを検知するので、配置スペースを削減できる。
【００４５】
ところで、従来のようにＵＰキー８，ＤＯＷＮキー９などを用いて表示をスクロールさせる場合は、キーをプッシュする毎に１ステップずつスクロールさせたり、或いは、キーをプッシュし続けることで連続的に順次スクロールさせるようにしている。従って、前者であれば、所望の項目が表示されるまでキーのプッシュ動作を繰り返さなければならず、後者であれば、所望の項目が表示された時点で指をキーより放してスクロールを停止させる必要がある（または、両者の組み合わせによる）。
【００４６】
これに対して、本実施例によれば、ユーザが、キャップ１４を指で摘んでアンテナ１３を回転操作させると、制御部１６は、その回転ポジション数に応じたステップ数で表示をスクロールさせるので、ユーザは、表示をスクロールさせる量の調整を極めて容易に行うことができ、操作性が良好となる。
【００４７】
そして、本実施例によれば、ユーザが、アンテナ１３を筐体１２方向に押し込み操作するとプッシュスイッチ１８がオン操作されるように構成し、制御部１６は、プッシュスイッチ１８がオン操作されると、ＬＣＤ４の画面表示を待ち受け状態の画面から電話番号検索モードの画面に切換え、更に、プッシュスイッチ１６が２回オン操作されると、ＬＣＤ４の画面表示をメニューモード画面に切換えるので、ユーザは、アンテナ１３を操作することで操作モードを多様に切換えることができ、利便性が向上する。
【００４８】
また、制御部１６は、電話番号検索モード中にプッシュスイッチ１８がオン操作されると、その時点でＬＣＤ４に表示されて選択候補となっている通話相手を選択して発呼するので、アンテナ１３によって、通話相手の検索からダイアル・発呼までの一連の処理を行うことが可能となり、操作性を一層向上させることができる。
【００４９】
加えて、本実施例によれば、制御部１６は、ＬＣＤ４の画面左下部に、電話番号検索モードの場合は「↓発信」，メニューモードの場合は「↓選択」のように、アンテナ１３を押し込み操作した場合に実行される処理の内容を各操作モードに応じて表示させるので、ユーザは、押し込み操作によって実行される処理内容をＬＣＤ４を見て知ることができ、操作を容易且つ確実に行うことができる。
【００５０】
更にまた、本実施例によれば、制御部１６は、通話中にアンテナ１３が回転操作されると、その回転量に応じて受話音量を調整するので、通話中においてもアンテナ１３を用いた操作機能を有効に活用することができる。
【００５１】
（第２実施例）
図１２は本発明の第２実施例を示すものであり、第１実施例と同一部分には同一符号を付して説明を省略し、以下異なる部分についてのみ説明する。第２実施例の携帯電話装置（無線通信装置）２６は、筐体１２の内部に、第１実施例における回転検知部１５と給電部１７とを一体にした給電・回転検知部（回転検知手段，回転方向検出手段）２７を配置したものである。尚、その他の構成要素については図示を省略している。第２実施例の作用については、第１実施例と全く同様である。携帯電話装置２６をこのように構成した場合も、第１実施例と同様の効果が得られる。
【００５２】
（第３実施例）
図１３及び図１４は本発明の第３実施例を示すものであり、第１実施例と同一部分には同一符号を付して説明を省略し、以下異なる部分についてのみ説明する。第３実施例の携帯電話装置（無線通信装置）２８では、アンテナ２９は伸縮式として構成されており、アンテナ２９の大部分が筐体１２の内部に収納された状態にある収納位置（図１３（ａ）参照）と、アンテナ２９の大部分が筐体１２の外部に引き出された状態にある引出し位置（図１３（ｂ）参照）とを取り得るようになっている。そして、筐体１２の内部には、給電部１７に代えて、収納位置に対応してアンテナ２９に給電を行うための第１給電部３０と、引出し位置に対応してアンテナ２９に給電を行うための第２給電部３１とが配置されている。
【００５３】
図１４は、第１，第２給電部３０，３１の詳細な構成を示す断面図である。アンテナ２９は、アンテナ１３と同様に、下端側に導電性の接触部材３２が配置されている。そして、アンテナ２９が収納位置にある場合には、接触部材３２が第１給電部３０のバネ性を有する給電端子３３に接触することで、アンテナ２９と給電点３４とが電気的に接続され、アンテナ２９が引出し位置にある場合には、接触部材（給電部位）３２が第２給電部３１の給電端子３５に接触することで、アンテナ２９と給電点３４とが電気的に接続されるようになっている。
【００５４】
また、アンテナ２９には、収納位置と引出し位置との何れにある場合でも、回転検知部１５においてアンテナ２９の回転方向及び回転量が検出できるように、上下に２つのアンテナ側電極３６，３７を備えている。そして、アンテナ２９が収納位置にある場合には、上方側のアンテナ側電極３６が回転検知部１５の位置に対応するようになっており、アンテナ側電極３６と回転検知部１５との間で回転方向及び回転量の検出が行われる。また。アンテナ２９が引出し位置にある場合には、下方側のアンテナ側電極３７が回転検知部１５の位置に対応するようになっており、アンテナ側電極３７と回転検知部１５との間で回転方向及び回転量の検出が行われる。
【００５５】
以上のようにアンテナ２９が伸縮式である場合には、待ち受け状態にある時はアンテナ２９を収納位置としておき、通話を行う場合にはアンテナ２９を引出し位置とするのが一般的である。ユーザが携帯電話装置２８を耳に当てた状態で通話する場合、基地局からの電波の到来方向が携帯電話装置２８側であれば、アンテナ２９が収納位置にあっても通話に支障を来すことはない。しかし、電波の到来方向がユーザの頭部側である場合には、アンテナ２９が収納位置にあるとユーザの頭部が影となって通話に支障を来すことがある。そのような場合には、アンテナ２９を引出し位置にすることでユーザの頭部が影になることがなく通話を良好に行うことができる。第３実施例のその他の作用については、第１実施例と全く同様である。
【００５６】
従って、以上のように構成された第３実施例によれば、アンテナ２９が伸縮式である場合でも、第１または第２実施例と同様にアンテナ２９の回転操作を検知することができる。
【００５７】
（第４実施例）
図１５及び図１６は本発明の第４実施例を示すものであり、第１実施例と同一部分には同一符号を付して説明を省略し、以下異なる部分についてのみ説明する。第４実施例の携帯電話装置（無線通信装置）３８では、アンテナ３９は第１実施例と同様に伸縮式として構成されておらず、回転検知部１５及び給電部１７に対応する位置に回転検知部（回転検知手段，回転方向検出手段）４０及び給電部４１が配置されている。
【００５８】
図１６に示すように、回転検知部４０は、アンテナ側構成部４２を備えている。アンテナ側構成部４２は例えば樹脂によって円筒状に形成された基部４３を有し、その基部４３は、図示しない支持機構によって回転検知部４０の位置に対応して支持されて、中空部分をアンテナ３９が貫通するようになっている。基部４３の外周部には、第１実施例におけるアンテナ側電極１９と同様のアンテナ側電極４４が配置されている。アンテナ側構成部４２を除く回転検知部４０の構成は、回転検知部１５と同様である。また、基部４３の上端側には、凹部（係合手段）４３ａが一定間隔で円周に沿って形成されており、その上端部は、筐体４５の上面４５ａよりも下方に位置するようになっている。
【００５９】
一方、アンテナ３９の先端に配置されているキャップ４６の外径は、基部４３の外径と略同一に形成されており、キャップ４６の下端側には、基部４３の凹部４３ａに対応して形成された凸部（係合手段）４６ａが円周に沿って配置されている。筐体４５の上面４５ａには、キャップ４６の外径よりも僅かに大なる径を有する貫通孔（図示せず）が形成されている。そして、アンテナ３９は、第１実施例のように筐体４５側に押し込み操作可能に構成されており、キャップ４６の下端側が上面４５ａの貫通孔を貫通して筐体４５内部に侵入し基部４３の上端に当接する場合には、凸部４６ａと凹部４３ａとが係合するように構成されている。
【００６０】
次に、第４実施例の作用について説明する。図１５（ａ）に示すように、アンテナ３９が通常の位置にある場合には、アンテナ３９の導電部材４７は給電部４１の給電端子（図示せず）に接触しており、電波信号の送受信が可能な状態にある。
【００６１】
そして、ユーザがキャップ４６を指で摘んでアンテナ３９を筐体４５側に押し込み操作することで、図１５（ｂ）に示すように，キャップ４６下端の凸部４６ａと基部４３上端の凹部４３ａとが係合した場合には、ユーザがキャップ４６を回転操作すればアンテナ側構成部４２を連動して回転させることが可能となる。すると、基部４３の外周部に配置されたアンテナ側電極４４の位置が変位することで、制御部１６は、回転検知部４０を介して第１実施例などと同様にアンテナ３９の回転方向及び回転量を検出することができる。
【００６２】
尚、この時、アンテナ３９の導電部材４７は給電部４１の下方に位置するため、給電部４１の給電端子とは接触しないので、電波信号の送受信は不能となる。従って、第１実施例のような通話中処理をアンテナ３９を操作して行うことはできないので、受話音量の設定は、携帯電話装置３８が待ち受け状態にある時に、メニューモードの中から「受話音量設定」の項目を選択して行うようにする。
【００６３】
以上のように第４実施例によれば、アンテナ３９をユーザが押し込み操作すると、キャップ４６下端の凸部４６ａと基部４３上端の凹部４３ａとが係合して、ユーザがキャップ４６を回転操作すればアンテナ側構成部４２が連動して回転するので、ユーザは、アンテナ３９を押し込み操作した場合にのみＬＣＤ４のスクロール表示操作等が可能となるので、不用意に表示状態を変更してしまうなどの誤操作を防止することができる。
【００６４】
また、アンテナ３９の導電部材４７は、凸部４６ａと凹部４３ａとによってキャップ４６がアンテナ側構成部４２に係合されると給電部４１の給電端子と非接触状態になるので、ユーザがアンテナ３９を回転操作する場合は、アンテナ３９と給電端子との間に摩擦が生じることがない。従って、アンテナ３９の回転操作によってアンテナの導電部材４７及び給電部４１の給電端子が摩耗することを防止できる。
【００６５】
（第５実施例）
図１７は本発明の第５実施例を示すものであり、第３及び第４実施例と同一部分には同一符号を付して説明を省略し、以下異なる部分についてのみ説明する。第５実施例の携帯電話装置（無線通信装置）４８は、第３実施例のアンテナ２９と第４実施例のキャップ４６とを組み合わせてなるアンテナ４９を有している。また、筐体５０の内部には、第３実施例の第１給電部３０及び第２給電部３１と、第４実施例の回転検知部４０とを備えている。
【００６６】
そして、アンテナ４９は、第３実施例の収納位置（図１７（ａ）参照）及び引出し位置（図１７（ｂ）参照）に加えて、第４実施例の押し込み操作位置（図１７（ｃ）参照）の３位置を取り得るように構成されている。従って、アンテナ４９を、待ち受け状態にある場合は収納位置にし、通話を行う場合には引出し位置にして、ＬＣＤ４の画面表示をスクロールさせるなどの操作を行う場合には、操作位置にする。
以上のように構成された第５実施例によれば、第３実施例の効果と第４実施例の効果とを同時に得ることが可能となる。
【００６７】
（第６実施例）
図１８乃至図２４は本発明の第６実施例を示すものである。第６実施例の携帯電話装置（無線通信装置）５１の構成は、基本的に第１実施例と同様であり、制御部１６における制御内容のみが異なっている。その制御内容のフローチャートを示す図１９において、制御部１６は、アンテナ１３が回転操作されてステップＡ３で「ＹＥＳ」と判断すると、その時に操作キー５の内で予め設定されている特定のキーがオン操作されているか否かを判断する（ステップＡ１１）。
【００６８】
そして、制御部１６は、その特定キーがオン操作されていなければ「ＮＯ」と判断してステップＡ４へ移行し、特定キーがオン操作されている場合は、当該特定キーに応じて定められている態様でＬＣＤ４のスクロール表示を行うようにする（ステップＡ１２）。
【００６９】
例えば、図２０に示す電話番号検索モードにおいて、この例では、ＬＣＤ４の１画面で、「名前・電話番号」，「住所」，「コメント」の内１つが表示されるようになっており、これらの各画面がマトリックス状に配列されてスクロール表示が行われる。そして、第１実施例と同様に、アンテナ１３の回転操作のみが行われた場合、制御部１６は、「名前・電話番号」の各列を上下方向に１ステップ（１画面）ずつスクロールさせる（例えば、メモリー：１→ｎ方向へ）。
【００７０】
また、図１８に示す操作キー５の内、例えば、メモリーキー（Ｍ）５ａがオン操作されると同時にアンテナ１３が回転操作された場合、制御部１６は、その時ＬＣＤ４に表示されているメモリー番号（例えば、“１”）の行を左右方向に１ステップずつスクロールさせる（例えば、「名前・電話番号」→「コメント」方向へ）。
【００７１】
次の例として、図２１に示すショートメッセージ検索モードにおいて、この例では、ＬＣＤ４の１画面でメモリー１件分のショートメッセージ（横書き）の一部分が表示されるようになっている。そして、アンテナ１３の回転操作のみが行われた場合、制御部１６は、「ショートメッセージ」の各列を上下方向にスクロールさせる（例えば、メモリー：１→ｎ方向へ）。また、例えば、メモリーキー５ａがオン操作されると同時にアンテナ１３が回転操作された場合は、その時ＬＣＤ４に表示されているメモリー番号（例えば、“１”）のショートメッセージの行を左右方向にスクロールさせる（例えば、左→右方向へ）。
【００７２】
また、図２２に示す電話番号検索モードにおいて、この例では、ＬＣＤ４の１画面で「名前・電話番号」が表示されるようになっている。そして、アンテナ１３の回転操作のみが行われた場合、制御部１６は、「名前・電話番号」の各列を上下方向に１ステップずつスクロールさせる（例えば、メモリー：ｍ→ｍ＋１）。また、例えば、メモリーキー５ａがオン操作されると同時にアンテナ１３が回転操作された場合は、予め設定されたステップ数に応じてスクロールさせる（例えば設定数が“３”であれば、メモリー：ｍ→ｍ＋３）。
【００７３】
更に、この場合、メモリーキー５ａの代わりに、“１”〜“９”の数字キー５ｂの内何れか１つをオン操作しながらアンテナ１３が回転操作された場合は、その数字キー５ｂの数字に応じたステップ数で表示をスクロールさせるようにしても良い。数字キー５ｂの“２”がオン操作された場合には、メモリー：ｍ→ｍ＋２，数字キー５ｂの“８”がオン操作された場合には、メモリー：ｍ→ｍ＋８，のようにする。
【００７４】
また、図２３に示す電話番号検索モードにおいて、この例では、メモリーへの電話番号登録が、ブロック毎に行えるように構成されている場合である。例えば、ブロック１は「友達」，ブロック２は「会社」，ブロック３は「その他」，…などのように登録することができ、ＬＣＤ４には、各ブロック毎にメモリー内容を読み出して表示させて検索を行うことができるようになっている。
【００７５】
そして、この場合には、数字キー５ｂの“１”がオン操作されると同時にアンテナ１３が回転操作された場合は、制御部１６は、ブロック１の「友達」の氏名及び電話番号を上下方向にスクロール表示させ、数字キー５ｂの“２”がオン操作されると同時にアンテナ１３が回転操作された場合は、ブロック２の「会社」の名称及び電話番号ゐ上下方向にスクロール表示させる。
【００７６】
また、図２４に示す電話番号検索モードにおいて、この例では、数字キー５ｂの“１”，“２”，“３”，…，“０”が、通話相手氏名のあ行，か行，さ行，…，わ行に夫々対応している。そして、数字キー５ｂの“１”がオン操作されると同時にアンテナ１３が回転操作された場合、制御部１６は、あ行の通話相手の電話番号を上下方向にスクロール表示させ、数字キー５ｂの“２”がオン操作されると同時にアンテナ１３が回転操作された場合は、か行の通話相手の電話番号を上下方向にスクロール表示させる。
【００７７】
以上のように第６実施例によれば、制御部１６は、特定の操作キー５がオン操作されると共にアンテナ１３が回転操作されると、ＬＣＤ４の表示を異なる態様でスクロールさせるので、ユーザは、特定の操作キーとの組み合わせにより、例えば、スクロールの方向を上下から左右に変化させたり、単位回転量に応じたスクロール量（ステップ数）を変化させるなど、アンテナ１３を用いて様々な態様でスクロール表示を行うことができる。
【００７８】
本発明は上記し且つ図面に記載した実施例にのみ限定されるものではなく、次のような変形または拡張が可能である。
アンテナ１３の操作によるその他の例としては、以下のようなものも実行可能である。
▲１▼待ち受け状態において、回転操作させることによってリダイヤル相手をスクロール表示させる。
▲２▼待ち受け状態において、メニューモード中の「メール」を選択し、更に、「新規メール」を選択した場合、回転操作により文字（ひらがな）をスクロール表示させ、押し込み操作で選択、更に押し込み操作で変換させる。
▲３▼通話状態で押し込み操作すると保留状態にして、再度押し込み操作すると保留状態を解除させる。
▲４▼通話状態で２秒以上押し込み操作するとボイスメモの録音を開始させ、録音完了後に１回押し込み操作すると、録音を終了させる。
また、これらに限ることなく適宜変形して実施することができる。
【００７９】
第１実施例において、メモリー検索モードでは、ＬＣＤ４に通話相手の名前と電話番号とを同時に表示しても良い。また、ＬＣＤ４の一画面に表示させる項目は、１つのみでも良い。
第１実施例において、回転検知手段として、回転検知部１５に代えて一般に使用される小形のロータリエンコーダをアンテナ１３の下端側に配置しても良い。
また、回転検知手段は、必ずしもアンテナ１３の回転方向を検出するものに限らず、回転量のみを検出するものでも良く、その場合、スクロール表示内容がメモリーの最後に到達した場合には、メモリーの先頭に戻るようにしてリング状にスクロール表示させれば良い。この場合、例えば、回転検知部１５には、Ａ相電極２１またはＢ相電極２２の何れか一方のみがあれば良い。
プッシュスイッチ１８は、必要に応じて設ければ良い。
制御部１６において、送受信制御を行う機能部分は独立に構成しても良い。
携帯電話装置に限ることなく、ＰＨＳ(Personal Handyphone System)やトランシーバなどその他の無線通信装置にも適用が可能である。
【図面の簡単な説明】
【図１】本発明を携帯電話装置に適用した場合の第１実施例であり、筐体の上端側を透視して内蔵されている要部の構成を示す斜視図
【図２】回転検知部の詳細な構成を示す図
【図３】（ａ）は、ロッドアンテナを図２の状態からＣＷ方向に１ポジション回転操作させた状態、（ｂ）は、（ａ）の状態から更に１ポジション回転操作させた状態を示す
【図４】アンテナ側電極と、回転検知部のＡ相電極及びＢ相電極との各接触状態に応じた信号レベルを示す図
【図５】給電部の構成を示す縦断面図
【図６】携帯電話装置の正面図
【図７】制御部による、本発明の要旨に係る部分の制御内容を示すフローチャート
【図８】通話中処理の制御内容を示すフローチャート
【図９】電話番号検索モードにおけるＬＣＤの画面表示状態を示す図
【図１０】メニューモードにおける図９相当図
【図１１】通話中の受話音量設定モードにおける図９相当図
【図１２】本発明の第２実施例を示す図１相当図
【図１３】本発明の第３実施例を示す図１相当図であり、（ａ）はロッドアンテナが収納位置にある状態、（ｂ）はロッドアンテナが引出し位置にある状態を示す
【図１４】図５相当図
【図１５】本発明の第４実施例を示す図１相当図であり、（ａ）はロッドアンテナが給電位置にある状態、（ｂ）はロッドアンテナが操作位置にある状態を示す
【図１６】図２相当図
【図１７】本発明の第５実施例を示す図１相当図であり、（ａ）はロッドアンテナが収納位置にある状態、（ｂ）はロッドアンテナが引出し位置にある状態、（ｃ）はロッドアンテナが操作位置にある状態をを示す
【図１８】本発明の第６実施例を示す図６相当図
【図１９】図７相当図
【図２０】ロッドアンテナ及び操作キーの操作に応じたスクロール表示の態様の一例を示す図（その１）
【図２１】図２０相当図（その２）
【図２２】図２０相当図（その３）
【図２３】図２０相当図（その４）
【図２４】図２０相当図（その５）
【図２５】従来技術を示す図６相当図
【符号の説明】
４はＬＣＤ（表示手段）、５は操作キー、１１は携帯電話装置（無線通信装置）、１２は筐体、１３はロッドアンテナ、１５は回転検知部（回転検知手段，回転方向検出手段）、１６は制御部（制御手段）、１７は給電部、１８はプッシュスイッチ（スイッチ）、２３は接触部材（給電部位）、２４は給電端子、２６は携帯電話装置（無線通信装置）、２７は給電・回転検知部（回転検知手段，回転方向検出手段）、２８は携帯電話装置（無線通信装置）、２９はロッドアンテナ、３０は第１給電部，３１は第２給電部、３２は接触部材（給電部位）、３８は携帯電話装置（無線通信装置）、３９はロッドアンテナ、４０は回転検知部（回転検知手段，回転方向検出手段）、４２はアンテナ側構成部、４３ａは凹部（係合手段）、４５は筐体、４６ａは凸部（係合手段）、４７は導電部材、４８は携帯電話装置（無線通信装置）、４９はロッドアンテナ、５１は携帯電話装置（無線通信装置）を示す。
【図１】
0003580178.tif 000002
【図２】
0003580178.tif 000003
【図３】
0003580178.tif 000004
【図４】
0003580178.tif 000005
【図５】
0003580178.tif 000006
【図６】
0003580178.tif 000007
【図７】
0003580178.tif 000008
【図８】
0003580178.tif 000009
【図９】
0003580178.tif 000010
【図１０】
0003580178.tif 000011
【図１１】
0003580178.tif 000012
【図１２】
0003580178.tif 000013
【図１３】
0003580178.tif 000014
【図１４】
0003580178.tif 000015
【図１５】
0003580178.tif 000016
【図１６】
0003580178.tif 000017
【図１７】
0003580178.tif 000018
【図１８】
0003580178.tif 000019
【図１９】
0003580178.tif 000020
【図２０】
0003580178.tif 000021
【図２１】
0003580178.tif 000022
【図２２】
0003580178.tif 000023
【図２３】
0003580178.tif 000024
【図２４】
0003580178.tif 000025
【図２５】
0003580178.tif 000026